(57)【要約】      （修正有）【課題】衝撃吸収と緩衝効果を奏するヒール構造を提供する。【解決手段】ヒール１０と、該ヒールの底部に、収納溝１１が形成され、該収納溝内に、スリーブ２０が嵌設され、また、上記スリーブの貫通孔２１に、弾性枢着部材３１が貫設され、上記弾性枢着部材３１の一端に、横方向に、チェック部３１１が形成されて、上記スリーブの一端に固定される。上記弾性枢着部材３１のもう一端に、弾性パッド３２が接続され、上記弾性パッドが、上記ヒールの底部に当接し、これにより、ヒールで地面を踏む時、弾性枢着部材３１と弾性パッド３２とは、弾性を有するため、ヒールが地面に接触することにより発生した反作用力を低減でき、優れた衝撃吸収効果が得られる。  【選択図】図３
0003156028.tif 000002
【実用新案登録請求の範囲】
【請求項１】
靴本体の底側に固着され、もう一方の下端の底面から、縦方向に、少なくとも一つの収納溝が形成されたヒールと、
硬質材料からなり、上記収納溝内に緊密に固定され、中央に、貫通孔が形成された少なくとも一つのスリーブと、
一部が、上記収納溝内に嵌設される緩衝ユニットであって、少なくとも一つの弾性枢着部材と弾性パッドからなり、該弾性枢着部材の一端から、横方向に、チェック部が形成され、上記弾性枢着部材が、上記スリーブの貫通孔に貫設され、該チェック部と上記スリーブとが、互いに干渉し、上記弾性枢着部材のもう一端に、上記弾性パッドが結合され、上記弾性パッドが、上記ヒールの底部に当接する緩衝ユニットと、
が含有される、
ことを特徴とする衝撃吸収及び緩衝効果を有するヒール構造。
【請求項２】
上記ヒールの底面の一部に、更に、凹構が形成され、上記弾性パッドに、上記凹構に対応する突出部が形成されることを特徴とする請求項１に記載の衝撃吸収及び緩衝効果を有するヒール構造。
【請求項３】
上記弾性枢着部材と上記弾部材パッドとが、一体成型されてなることを特徴とする請求項１に記載の衝撃吸収及び緩衝効果を有するヒール構造。
【請求項４】
上記スリーブが、プラスチック材質からなることを特徴とする請求項１に記載の衝撃吸収及び緩衝効果を有するヒール構造。
【請求項５】
上記弾性枢着部材及び該弾性パッドの材質が、ゴム材料からなるものであることを特徴とする請求項１に記載の衝撃吸収及び緩衝効果を有するヒール構造。
【請求項６】
上記チェック部が、フランジであることを特徴とする請求項１に記載の衝撃吸収及び緩衝効果を有するヒール構造。
【請求項７】
上記ヒールにおいて、その底部の周縁と上記収納溝の周囲の間に、内側へ向って変形空間が形成されてなることを特徴とする請求項１に記載の衝撃吸収及び緩衝効果を有するヒール構造。
【考案の詳細な説明】
【技術分野】
【０００１】
本考案は、靴のヒール構造に関するものであり、さらに詳しくは、衝撃吸収及び緩衝効果を有するヒール構造に関するものである。
【背景技術】
【０００２】
従来の靴のヒール構造は、図１に示すように、靴体１と、該靴体１の底部に、ヒール２が固定され、該ヒール２のもう一方の下端から縦方向に、固定溝３が形成され、該固定溝３に、金属材質からなる固定部材４が嵌設され、該固定部材４に、該固定溝３の外部において、横方向に、かかとと称される耐磨耗性パッド５が結合されたものである。また、該固定部材４と耐磨耗性パッド５との表面に、糊づけされ、ヒール２に接着されてなるものである。
【０００３】
上記の如き従来の靴体１は、ヒール２の底部に、該耐磨耗パッド５が設けられたものであるので、耐磨耗性の効果があり、交換も可能であり、利便性があるが、硬質材質からなるものであるから、歩行時の騒音が大きく、また、衝撃吸収及び緩衝の効果が、殆ど得られず、歩行時、ヒール２が地面を踏むことにより発生した反作用力が、該固定部材４を介して該靴体に伝達され、容易に、人体の筋肉痛や関節摩損を起こすという問題があった。
【０００４】
かかる状況下にあって、歩行時に衝撃吸収及び衝撃効果に優れたヒール構造の開発が切望されてきた。
【考案の開示】
【考案が解決しようとする課題】
【０００５】
従って、本考案の主な課題は、衝撃吸収及び緩衝効果を奏するヒール構造を提供する点にある。
【課題を解決するための手段】
【０００６】
そこで、本考案者は、従来のヒール構造の上記欠点を解消し、本考案の課題を解決するため、鋭意研究を重ねた結果、下記の如きヒール構造を採用することにより、上記欠点を解消することができ、上記の本考案の課題を解決できることに着目し、かかる知見に基づいて本考案に想到した。
【０００７】
かくして、本考案によれば、
請求項１において、
靴本体の底側に固着され、もう一方の下端の底面から、縦方向に、少なくとも一つの収納溝が形成されたヒールと、
硬質材料からなり、上記収納溝内に緊密に固定され、中央に、貫通孔が形成された少なくとも一つのスリーブと、
一部が、上記収納溝内に嵌設される緩衝ユニットであって、少なくとも一つの弾性枢着部材と弾性パッドからなり、該弾性枢着部材の一端から、横方向に、チェック部が形成され、上記弾性枢着部材が、上記スリーブの貫通孔に貫設され、該チェック部と上記スリーブとが、互いに干渉し、上記弾性枢着部材のもう一端に、上記弾性パッドが結合され、上記弾性パッドが、上記ヒールの底部に当接する緩衝ユニットと、
が含有される、
ことを特徴とする衝撃吸収及び緩衝効果を有するヒール構造が提供される。
【０００８】
請求項２によれば、
上記ヒールの底面の一部に、更に、凹溝が形成され、上記弾性パッドに、該凹溝に対応する突出部が形成されることを特徴とする請求項１に記載の衝撃吸収及び緩衝効果を有するヒール構造が提供される。
【０００９】
請求項３によれば、  
上記弾性枢着部材と該弾性パッドとが、一体成型されてなることを特徴とする請求項１に記載の衝撃吸収及び緩衝効果を有するヒール構造が提供される。
【００１０】
請求項４によれば、  
上記スリーブが、プラスチック材質からなることを特徴とする請求項１に記載の衝撃吸収及び緩衝効果を有するヒール構造が提供される。
【００１１】
請求項５によれば、
上記弾性枢着部材及び該弾性パッドの材質が、ゴム材料からなるものであることを特徴とする請求項１に記載の衝撃吸収及び緩衝効果を有するヒール構造が提供される。
【００１２】
請求項６によれば、  
上記チェック部が、フランジであることを特徴とする請求項１に記載の衝撃吸収及び緩衝効果を有するヒール構造が提供される。
【００１３】
請求項７によれば、
上記ヒールにおいて、その底部の周縁と上記収納溝の周囲の間に、内側へ向って変形空間が形成されてなることを特徴とする請求項１に記載の衝撃吸収及び緩衝効果を有するヒール構造が提供される。
【考案の効果】
【００１４】
本考案は、上記の如き構成からなるものであり、優れた衝撃吸収効果を奏するのでヒールと地面との接触により生ずる反作用力を効果的に弾性吸収することができる。
特に請求項２に係る発明によれば、緩衝ユニットの旋転を防止し、緩衝ユニットのヒールへの結合を強化することができる。
また、請求項７に係る発明によっても、ヒールの底部に変形空間を形成させることにより、一層優れた衝撃吸収緩衝効果を奏することができる。
【００１５】
本考案に係る衝撃吸収と緩衝効果を奏するヒール構造は、ヒールとスリーブ及び緩衝ユニットが備えられたものであり、該ヒールは、靴本体の底側に固定され、上記ヒールの下部の内部に、更に、収納溝が形成される。上部スリーブは、上記収納溝内に嵌設され、その中央に貫通孔が形成されたものである。また、上部緩衝ユニットは、その一部が、上記収納溝内のスリーブの貫通孔に貫設される。かかる緩衝ユニットは、弾性枢着部材と弾性パッドからなり、これらにより、ヒールで、地面を踏む時、上記弾性枢着部材と上記弾性パッドは、弾性を有するため、ヒールが地面に接触することにより発生した反作用力を大幅に低減し、優れた衝撃吸収効果が得られる。
【考案を実施するための最良の形態】
【００１６】
以下、図面を参照しながら、本考案の特徴及び技術内容について、詳しく説明する。もっとも、それらの図面等は、参考や説明のためのものであり、本考案は、それらによって限定されるものではない。
【００１７】
図２と図３を参照しながら、本考案の第一実施例に係るヒール構造について詳しく説明する。
【００１８】
本考案に係るヒール構造において、ヒール１０は、靴本体１００の底側に固着され、もう一方の下端の底面から縦方向に、収納溝１１が形成される。
【００１９】
スリーブ２０は、硬質材料からなり、その中央に、軸方向に、貫通孔２１が形成され、本考案の好ましい実施例によれば、上記収納溝１１内に緊密に固定されたものである。かかるスリーブ２０は、プラスチック材質からなるものが特に好ましい。
【００２０】
緩衝ユニット３０は、弾性枢着部材３１と弾性パッド３２からなり、図４に示すように、その一部が、上記収納溝１１内に嵌設される。具体的には、上記弾性枢着部材３１の一端に、横方向に、フランジであるチェック部３１１が形成される。また、上記弾性枢着部材３１が、上記貫通孔２１に貫設され、上記チェック部３１１と上記スリーブ２０とが、互いに干渉することにより、上記スリーブ２０に、可動的に弾性枢着部材３１が枢着される。また、上記弾性枢着部材３１のもう一端に、一体成型により、上記弾性パッド３２が接続され、上記弾性パッド３２が、上記弾性枢着部材３１の底部から横方向に外側へ伸びることにより形成される。また、上記弾性パッド３２が、上記ヒール１０の底面に当接し、その面積が、ヒール１０の底部面積とほぼ一致するものである。本考案の実施例においては、上記弾性枢着部材３１と上記弾性パッド３２は、ゴム材料により一体に形成されたものが好ましい。
【００２１】
また、図５のように、ヒール１０が地面を踏む時、上記弾性枢着部材３１と上記弾性パッド３２とは、弾性を有するため、ヒール１０と地面との接触により生ずる反作用力が弾性吸收され、優れた衝撃吸収効果を奏するので、履き心地が良く、快適感が改善されたものである。
【００２２】
図６は、本考案の第二実施例によるヒール構造を示すものである。第二実施例によれば、ヒール１０の底面の一方に、更に、凹溝１２が形成され、上記弾性パッド３２に、凹溝１２に対応する突出部３２１が設けられてある。かかる凹溝１２内に弾性パッド３２の突出部３２１が嵌設されることにより、緩衝ユニット３０がヒール１０で旋転することを防止できる。
【００２３】
また、図７は、本考案の第三実施例によるヒール構造を示すものである。第三実施例に係るヒール構造は、上記第一実施例のヒール構造と、ほぼ同等のものであるが、上記ヒール１０に、複数の収納溝１１が形成され、それらの収納溝１１内に、それぞれ、上記スリーブ２０が嵌設されたものである。また、上記弾性パッド３２の上側に、縦方向に、一体的にそれらの収納溝１１の数に対応する弾性枢着部材３１が形成され、それらの弾性枢着部材３１が、それらのスリーブ２０に貫設される。また、それらのチェック部３１１とそれらのスリーブ２０が、それぞれ、互いに干渉し、これにより、上記緩衝ユニット３０と上記ヒール１０との連結強度を向上させることができる。
【００２４】
図８と図９は、本考案の第四実施例によるヒール構造を示すものである。第四実施例によるヒール構造は、上記第三実施例のヒール構造と、ほぼ同一のものであるが、上記ヒール１０において、その底部の周縁とそれらの収納溝１１の周りとの間に、内側へ向って変形空間１３が形成され、該変形空間１３とそれらの収納溝１１との間に、それぞれ、支持リブ１４が形成され、上記緩衝ユニット３０が、対応するように、上記ヒール１０の底部に設置されたものである。かかる構成により、緩衝ユニット３０の弾性パッド３２が、ヒール１０から負荷を受けると、変形空間１３内で十分に、変形できるので、その結果、優れた衝撃吸収及び緩衝の効果を奏するものである。
【００２５】
以上の説明から明らかなように、本考案は、進歩性を有するものであり、かつより実用性に優れたので、法に従って実用新案登録を求める。
【００２６】
また、以上の説明は、本考案の好ましい実施例について説明したものであり、本考案は、それによって限定されるものではなく、本考案に係わる実用新案登録請求の範囲及び明細書の内容に基づいて行なわれ等価の変更や修正は、全てが、本考案の範囲内に含まれるものであることは明らかである。
【図面の簡単な説明】
【００２７】
【図１】従来のヒール構造を示す分解斜視図である。
【図２】本考案の第一実施例によるヒール構造を示す斜視図である。
【図３】本考案の第一実施例によるヒール構造を示す分解斜視図である。
【図４】本考案の第一実施例によるヒール構造の断面図である。
【図５】本考案の第一実施例によるヒール構造の使用状態を示す断面図である。
【図６】本考案の第二実施例によるヒール構造の断面図である。
【図７】本考案の第三実施例によるヒール構造の分解斜視図である。
【図８】本考案の第四実施例によるヒール構造の底面図である。
【図９】図８で示すヒール構造のＡ−Ａ線による断面図である。
【符号の説明】
【００２８】
従来のヒール構造
１       靴体
２       ヒール
３       固定溝
４       固定柱
５       耐磨耗パッド
本考案に係るヒール構造
１０     ヒール
１００   靴本体
１１     収納溝
１２     凹溝
１３     変形空間
１４     支持リブ
２０     スリーブ
２１     貫通孔
３０     緩衝ユニット
３１     弾性枢着柱
３１１   チェック部
３２     弾性パッド
３２１   突出部
【図１】
0003156028.tif 000003
【図２】
0003156028.tif 000004
【図３】
0003156028.tif 000005
【図４】
0003156028.tif 000006
【図５】
0003156028.tif 000007
【図６】
0003156028.tif 000008
【図７】
0003156028.tif 000009
【図８】
0003156028.tif 000010
【図９】
0003156028.tif 000011
【手続補正書】
【提出日】平成21年9月30日(2009.9.30)
【手続補正１】
【補正対象書類名】図面
【補正対象項目名】図２
【補正方法】変更
【補正の内容】
【図２】
0003156028.tif 000012